【手続補正書】
【提出日】平成18年10月30日(2006.10.30)
【手続補正１】
【補正対象書類名】特許請求の範囲
【補正対象項目名】全文
【補正方法】変更
【補正の内容】
【特許請求の範囲】
【請求項１】
電子機器の報知手段により前記電子機器とは異なる外部の時刻情報発生源からの時刻データに基づいた時刻情報を報知可能にした電子機器システムであって、
前記電子機器の報知手段による報知対象の時刻情報が前記電子機器とは異なる外部の時刻情報発生源からの時刻データに基づいた時刻情報であるか否かを利用者により識別できる状態で、
前記電子機器の報知手段により時刻情報を報知させる制御手段を有することを特徴とする電子機器システム。
【請求項２】
前記制御手段は、
前記電子機器とは異なる外部の時刻情報発生源からの時刻データに基づいた第一の時刻情報と、
利用者の手動操作により入力される時刻データに基づいた第二の時刻情報とを、選択的に前記報知手段により報知可能にし、
且つ、前記制御手段は、
前記報知手段による報知対象の時刻情報が前記第一の時刻情報であるか、前記第二の時刻情報であるかを区別できる状態で、
前記報知手段により時刻情報を報知させることを特徴とする請求項１記載の電子機器システム。
【請求項３】
前記制御手段は、
前記電子機器とは異なる外部の時刻情報発生源からの時刻データに基づいた第一の時刻情報と、
利用者の手動操作により入力される時刻データに基づいた第二の時刻情報とを、選択的に前記報知手段により報知可能にし、
且つ、前記制御手段は、
前記報知手段による報知対象の時刻情報が前記第一の時刻情報である場合と、
前記報知手段による報知対象の時刻情報が前記第二の時刻情報である場合と、
前記報知手段による報知対象の時刻情報が補正を要する時刻情報である場合とを、夫々利用者により区別できる状態で、
前記報知手段により時刻情報を報知させることを特徴とする請求項１又は２記載の電子機器システム。
【請求項４】
前記制御手段は、
前記電子機器とは異なる外部の時刻情報発生源からの時刻データに基づいた時刻情報を前記報知手段により報知させるか否かを、操作手段からの利用者の操作に基づいて決定することを特徴とする請求項１乃至３の何れかに記載の電子機器システム。
【請求項５】
前記電子機器は、
コピーモード及びプリンタモード及びファクシミリモード及びボックスモードの少なくとも何れかの動作モードを含む複数の動作モードを具備した複合機能の画像形成装置と、
前記複数の動作モードの何れか１つのみを具備した単一機能の画像形成装置と、
ホストコンピュータと、
スキャナ装置と、
携帯電話と、
デジタルカメラのうちの少なくとも何れかの装置を含むことを特徴とする請求項１乃至４の何れかに記載の電子機器システム。
【請求項６】
前記報知手段は、
前記電子機器の表示装置に時刻情報を表示することにより利用者へ時刻情報を報知し、
前記制御手段は、
時刻情報を、前記電子機器とは異なる外部の時刻情報発生源からの時刻データに基づいた時刻情報であるか否かを利用者により識別可能にするための識別情報とともに前記表示装置により表示させることを特徴とする請求項１乃至５の何れかに記載の電子機器システム。
【請求項７】
前記報知手段は、
前記電子機器の表示装置に時刻情報を表示することにより利用者へ時刻情報を報知し、
前記制御手段は、
時刻情報を、前記電子機器とは異なる外部の時刻情報発生源からの時刻データに基づいた時刻情報であるか否かを利用者により識別可能にするための識別情報とともに前記表示装置により表示可能にし、
且つ、前記制御手段は、
前記電子機器が具備する複数の動作モード毎に区別された複数の操作画面のうち、利用者により選択された動作モードの操作画面を前記表示装置に表示可能にし、
且つ、前記制御手段は、
利用者により選択された動作モードの操作画面を前記表示装置により表示させた状態のままで、前記識別情報を前記表示装置により表示可能にすることを特徴とする請求項１乃至６の何れかに記載の電子機器システム。
【請求項８】
前記報知手段は、
前記電子機器の表示装置に時刻情報を表示することにより利用者へ時刻情報を報知し、
前記制御手段は、
時刻情報を、前記電子機器とは異なる外部の時刻情報発生源からの時刻データに基づいた時刻情報であるか否かを利用者により識別可能にするための識別情報とともに前記表示装置により表示可能にし、
且つ、前記制御手段は、
前記電子機器が具備する複数の動作モード毎に区別された複数の操作画面のうち、利用者により選択された動作モードの操作画面を前記表示装置により表示可能にし、
且つ、前記制御手段は、
利用者により選択された動作モードの操作画面を前記表示装置により表示させた状態のままで前記識別情報を前記表示装置により表示可能にし、
且つ、前記制御手段は、
利用者からの選択操作に応答し、前記表示装置による表示対象の操作画面の動作モードとは異なる動作モードの操作画面に切り換える場合に、前記表示装置による前記識別情報の表示を維持させることを特徴とする請求項１乃至７の何れかに記載の電子機器システム。
【請求項９】
前記報知手段は、
前記電子機器の表示装置に時刻情報を表示することにより利用者へ時刻情報を報知し、
前記電子機器は、
スキャナ部からのデータをプリンタ部でプリントさせるコピーモードと共に、外部装置からのデータをプリンタ部でプリントさせるプリントモード、及び、スキャナ部からのデータ及び外部装置からのデータの何れかを記憶可能な記憶手段に記憶されたデータを前記電子機器の操作手段からの利用者の指示に従いプリンタ部及び外部装置の少なくとも何れかへ出力させるボックスモード、の何れかを有し、
前記制御手段は、
時刻情報を、前記電子機器とは異なる外部の時刻情報発生源からの時刻データに基づいた時刻情報であるか否かを利用者により識別可能にするための識別情報とともに前記表示装置により表示可能にし、
且つ、前記制御手段は、
前記表示装置に前記コピーモードの操作画面を表示した状態で前記識別情報を表示可能にし、
且つ、前記制御手段は、
前記コピーモードの操作画面とは異なる他の操作画面に切り換わっても前記表示装置による前記識別情報の表示を維持させることを特徴とする請求項１乃至８の何れかに記載の電子機器システム。
【請求項１０】
前記報知手段は、
前記電子機器の表示装置に時刻情報を表示することにより利用者へ時刻情報を報知し、
前記制御手段は、
時刻情報を、前記電子機器とは異なる外部の時刻情報発生源からの時刻データに基づいた時刻情報であるか否かを利用者により識別可能にするための識別情報とともに前記表示装置により表示可能にし、
且つ、前記電子機器システムは、
前記電子機器とデータ通信可能なホストコンピュータの表示手段に、
前記電子機器の表示装置による表示対象の識別情報に対応する識別情報を表示可能にする、
ことを特徴とする請求項１乃至９の何れかに記載の電子機器システム。
【請求項１１】
電子機器の報知手段により前記電子機器とは異なる外部の時刻情報発生源からの時刻データに基づいた時刻情報を報知可能にした電子機器システムの制御方法であって、
前記電子機器の報知手段による報知対象の時刻情報が前記電子機器とは異なる外部の時刻情報発生源からの時刻データに基づいた時刻情報であるか否かを利用者により識別できる状態で、
前記電子機器の報知手段により時刻情報を報知させることを特徴とする制御方法。
【請求項１２】
前記制御方法は、
前記電子機器とは異なる外部の時刻情報発生源からの時刻データに基づいた第一の時刻情報と、
利用者の手動操作により入力される時刻データに基づいた第二の時刻情報とを、選択的に前記報知手段により報知可能にし、
且つ、前記制御方法は、
前記報知手段による報知対象の時刻情報が前記第一の時刻情報であるか、前記第二の時刻情報であるかを区別できる状態で、
前記報知手段により時刻情報を報知させることを特徴とする請求項１１記載の制御方法。
【請求項１３】
前記制御方法は、
前記電子機器とは異なる外部の時刻情報発生源からの時刻データに基づいた第一の時刻情報と、
利用者の手動操作により入力される時刻データに基づいた第二の時刻情報とを、選択的に前記報知手段により報知可能にし、
且つ、前記制御方法は、
前記報知手段による報知対象の時刻情報が前記第一の時刻情報である場合と、
前記報知手段による報知対象の時刻情報が前記第二の時刻情報である場合と、
前記報知手段による報知対象の時刻情報が補正を要する時刻情報である場合と 
前記報知手段により時刻情報を報知させることを特徴とする請求項１１又は１２記載の制御方法。
【請求項１４】
前記制御方法は、
前記電子機器とは異なる外部の時刻情報発生源からの時刻データに基づいた時刻情報を前記報知手段により報知させるか否かを、操作手段からの利用者の操作に基づいて決定することを特徴とする請求項１１乃至１３の何れかに記載の制御方法。
【請求項１５】
前記電子機器は、
コピーモード及びプリンタモード及びファクシミリモード及びボックスモードの少なくとも何れかの動作モードを含む複数の動作モードを具備した複合機能の画像形成装置と、
前記複数の動作モードの何れか１つのみを具備した単一機能の画像形成装置と、
ホストコンピュータと、
スキャナ装置と、
携帯電話と、
デジタルカメラのうちの少なくとも何れかの装置を含むことを特徴とする請求項１１乃至１４の何れかに記載の制御方法。
【請求項１６】
前記報知手段は、
前記電子機器の表示装置に時刻情報を表示することにより利用者へ時刻情報を報知し、
前記制御方法は、
時刻情報を、前記電子機器とは異なる外部の時刻情報発生源からの時刻データに基づいた時刻情報であるか否かを利用者により識別可能にするための識別情報とともに前記表示装置により表示させることを特徴とする請求項１１乃至１５の何れかに記載の制御方法。
【請求項１７】
前記報知手段は、
前記電子機器の表示装置に時刻情報を表示することにより利用者へ時刻情報を報知し、
前記制御方法は、
時刻情報を、前記電子機器とは異なる外部の時刻情報発生源からの時刻データに基づいた時刻情報であるか否かを利用者により識別可能にするための識別情報とともに前記表示装置により表示可能にし、
且つ、前記制御方法は、
前記電子機器が具備する複数の動作モード毎に区別された複数の操作画面のうち、利用者により選択された動作モードの操作画面を前記表示装置に表示可能にし、
且つ、前記制御方法は、
利用者により選択された動作モードの操作画面を前記表示装置により表示させた状態のままで、前記識別情報を前記表示装置により表示可能にすることを特徴とする請求項１１乃至１６の何れかに記載の制御方法。
【請求項１８】
前記報知手段は、
前記電子機器の表示装置に時刻情報を表示することにより利用者へ時刻情報を報知し、
前記制御方法は、
時刻情報を、前記電子機器とは異なる外部の時刻情報発生源からの時刻データに基づいた時刻情報であるか否かを利用者により識別可能にするための識別情報とともに前記表示装置により表示可能にし、
且つ、前記制御方法は、
前記電子機器が具備する複数の動作モード毎に区別された複数の操作画面のうち、利用者により選択された動作モードの操作画面を前記表示装置により表示可能にし、
且つ、前記制御方法は、
利用者により選択された動作モードの操作画面を前記表示装置により表示させた状態のままで前記識別情報を前記表示装置により表示可能にし、
且つ、前記制御方法は、
利用者からの選択操作に応答し、前記表示装置による表示対象の操作画面の動作モードとは異なる動作モードの操作画面に切り換える場合に、前記表示装置による前記識別情報の表示を維持させることを特徴とする請求項１１乃至１７の何れかに記載の制御方法。
【請求項１９】
前記報知手段は、
前記電子機器の表示装置に時刻情報を表示することにより利用者へ時刻情報を報知し、
スキャナ部からのデータをプリンタ部でプリントさせるコピーモードと共に、外部装置からのデータをプリンタ部でプリントさせるプリントモード、及び、スキャナ部からのデータ及び外部装置からのデータの何れかを記憶可能な記憶手段に記憶されたデータを前記電子機器の操作手段からの利用者の指示に従いプリンタ部及び外部装置の少なくとも何れかへ出力させるボックスモード、の何れかを有し、
前記制御方法は、
時刻情報を、前記電子機器とは異なる外部の時刻情報発生源からの時刻データに基づいた時刻情報であるか否かを利用者により識別可能にするための識別情報とともに前記表示装置により表示可能にし、
且つ、前記制御方法は、
前記表示装置に前記コピーモードの操作画面を表示した状態で前記識別情報を表示可能にし、
且つ、前記制御方法は、
前記コピーモードの操作画面とは異なる他の操作画面に切り換わっても前記表示装置による前記識別情報の表示を維持させることを特徴とする請求項１１乃至１８の何れかに記載の制御方法。
【請求項２０】
前記報知手段は、
前記電子機器の表示装置に時刻情報を表示することにより利用者へ時刻情報を報知し、
前記制御方法は、
時刻情報を、前記電子機器とは異なる外部の時刻情報発生源からの時刻データに基づいた時刻情報であるか否かを利用者により識別可能にするための識別情報とともに前記表示装置により表示可能にし、
且つ、前記制御方法は、
前記電子機器とデータ通信可能なホストコンピュータの表示手段に、
前記電子機器の表示装置による表示対象の識別情報に対応する識別情報を表示可能にする、
ことを特徴とする請求項１１乃至１９の何れかに記載の制御方法。
【請求項２１】
請求項１１乃至２０の何れかに記載の制御方法を実行するためコンピュータ読取可能な記憶媒体。
【請求項２２】
請求項１１乃至２０の何れかに記載の制御方法を実行するためのコンピュータプログラム。
【請求項２３】
請求項１１乃至２０の何れかに記載の制御方法をコンピュータにより実行するための電子機器。
【手続補正２】
【補正対象書類名】明細書
【補正対象項目名】発明の名称
【補正方法】変更
【補正の内容】
【発明の名称】電子機器システム、制御方法
【手続補正３】
【補正対象書類名】明細書
【補正対象項目名】０００１
【補正方法】変更
【補正の内容】
【０００１】
本発明は、外部の時刻情報発生源の時刻データによる時刻報知処理を行う電子機器システム及びその制御方法に関する。
【手続補正４】
【補正対象書類名】明細書
【補正対象項目名】００１１
【補正方法】変更
【補正の内容】
【００１１】
本発明は、上記の問題点を解消するためになされたもので、電子機器の報知手段による報知対象の時刻情報が前記電子機器とは異なる外部の時刻情報発生源からの時刻データに基づいた時刻情報であるか否かを利用者により識別できる状態で、前記電子機器の報知手段により時刻情報を報知できる仕組みを提供することである。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１７
【補正方法】変更
【補正の内容】
【００１７】
電子機器の報知手段により前記電子機器とは異なる外部の時刻情報発生源からの時刻データに基づいた時刻情報を報知可能にした電子機器システムであって、前記電子機器の報知手段による報知対象の時刻情報が前記電子機器とは異なる外部の時刻情報発生源からの時刻データに基づいた時刻情報であるか否かを利用者により識別できる状態で、前記電子機器の報知手段により時刻情報を報知させる制御手段を有することを特徴とする。
【手続補正１０】
【補正対象書類名】明細書
【補正対象項目名】００１８
【補正方法】変更
【補正の内容】
【００１８】
電子機器の報知手段により前記電子機器とは異なる外部の時刻情報発生源からの時刻データに基づいた時刻情報を報知可能にした電子機器システムの制御方法であって、前記電子機器の報知手段による報知対象の時刻情報が前記電子機器とは異なる外部の時刻情報発生源からの時刻データに基づいた時刻情報であるか否かを利用者により識別できる状態で、前記電子機器の報知手段により時刻情報を報知させることを特徴とする。
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】変更
【補正の内容】
【００２１】
以上説明したように、請求項１、１１記載の本発明によれば、電子機器の報知手段による報知対象の時刻情報が前記電子機器とは異なる外部の時刻情報発生源からの時刻データに基づいた時刻情報であるか否かを利用者により識別できる状態で、前記電子機器の報知手段により時刻情報を報知可能となる。
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】